【手続補正書】
【提出日】平成18年7月21日(2006.7.21)
【手続補正１】
【補正対象書類名】特許請求の範囲
【補正対象項目名】全文
【補正方法】変更
【補正の内容】
【特許請求の範囲】
【請求項１】
物体の内容を調べる走査ユニットであって、
物体を運ぶための、走査ユニット内の第１の経路と、
それらの少なくとも１つの線源が、第１の経路と直交する部分的に第１の経路の周りに延びる第２の経路に渡って移動可能である、１つ又は複数の、放射線ビームの線源と、
部分的に第１の経路の周りに延びる、走査中に物体を透過した放射線を検出するように位置させられた固定検出器と、を含む走査ユニット。
【請求項２】
物体は貨物専用コンテナであり、検出器と少なくとも１つの線源は、貨物専用コンテナを第１の経路に沿って検出器と線源の間を運ぶのを可能にするように位置させられる、請求項１に記載の走査ユニット。
【請求項３】
貨物専用コンテナは乗物によって保持され、
検出器と少なくとも１つの線源は、貨物および乗物を検出器と線源の間を運ぶのを可能にするように位置させられる、請求項２に記載の走査ユニット。
【請求項４】
検出器は少なくとも一部は、第１の経路の下、地下に配置され、
少なくとも１つの線源は第１の経路よりも上に配置される、請求項１に記載の走査ユニット。 
【請求項５】
少なくとも１つの線源は、貨物専用コンテナが走査位置に来たときに貨物専用コンテナ内に中心を有する想像円上に位置する半円の周りを移動可能である、請求項１に記載の走査ユニット。
【請求項６】
複数の線源を含み、走査ユニットは、
第１の経路に垂直な半円形のレールをさらに含み、
複数の線源は、レールによって支持され、レールに対して半円の周りを移動可能である、請求項５に記載の走査ユニット。
【請求項７】
検出器は、第１の経路に垂直であり、物体が走査位置に来たときに物体内に中心を有する想像円上に位置する半円形の検出器行を含む検出器アレイである、請求項５に記載の走査ユニット。
【請求項８】
検出器は複数の二次元検出器を含む、請求項１に記載の走査ユニット。
【請求項９】
少なくとも１つのエネルギー検知検出器を含む、請求項１に記載の走査ユニット。
【請求項１０】
少なくとも１つの線源はＸ線源である、請求項１に記載の走査ユニット。
【請求項１１】
放射線はコーン・ビームである、請求項１に記載の走査ユニット。
【請求項１２】
検出器アレイに電気的に結合され、検出器アレイから受け取ったデータに基づいてコンピュータ断層撮影画像を再構成するようにプログラムされたプロセッサをさらに含む、請求項１に記載の走査ユニット。
【請求項１３】
物体を第１の経路に沿って走査ユニットを通過させる輸送システムをさらに含む、請求項１に記載の走査ユニット。
【請求項１４】
少なくとも１つの線源はそれぞれ、線形加速器である、請求項１に記載の走査ユニット。
【請求項１５】
前記第１の経路に直交するレールをさらに含み、
前記１つ又は複数の線源の少なくとも１つの前記線源は、レールによって支持され、レールに沿って、前記第２の経路に渡って移動可能であることを特徴とする、請求項１に記載の走査ユニット。
【請求項１６】
前記１つ又は複数の線源の少なくとも１つの前記線源は、機械的に、前記第２経路に沿って移動可能である、請求項１に記載の走査ユニット。
【請求項１７】
前記１つ又は複数の線源の少なくとも１つの前記線源は、機械的に、単一の共通の経路に渡って移動可能である、請求項１６に記載の走査ユニット。
【請求項１８】
前記第２経路と検出器は前記物体の周りに十分に延びて、コンピュータ断層撮影画像用データを取得する、請求項１に記載の走査ユニット。
【請求項１９】
前記１つ又は複数の線源の少なくともいくつかは、異なるエネルギー分布をもつ放射線を放出するように適合される、請求項１に記載の走査ユニット。
【請求項２０】
貨物走査ユニットであって、
貨物専用コンテナを運ぶための、走査ユニット内の経路と、
ユニットによって経路よりも上に支持され、経路に直交し、貨物が走査位置に来たときに貨物内に中心を有する第１の想像円上に位置する、半円形のレールと、
少なくとも１つの線源がＸ線のコーン・ビームを生成するように適合された、レールによって支持される複数の可動Ｘ線源と、
少なくとも一部を経路の下、地面レベルよりも下に有し、経路に直交し、貨物が走査位置に来たときに貨物内に中心を有する第２の想像円上に位置する、半円形の検出器アレイとを含み、
前記第１及び第２の想像円は、同一面内に存在し、前記検出器アレイは複数の２次元検出器を含むことを特徴とする貨物走査ユニット。
【請求項２１】
検出器アレイは固定されている、請求項２０に記載の貨物走査ユニット。
【請求項２２】
Ｘ線源は、約1MeVを超える加速エネルギーを有する線形加速器である、請求項２０に記載の貨物走査ユニット。
【請求項２３】
貨物専用コンテナの内容を調べる方法であって、
貨物専用コンテナに対して少なくとも１つの放射線源を移動させることと、
貨物専用コンテナの少なくとも一部を上記の少なくとも１つの放射線源からの少なくとも１つの放射線ビームによって複数の角度で走査することと、
貨物専用コンテナを透過した放射線を検出することと、
検出された放射線に基づいてデータを処理し、貨物専用コンテナの少なくとも一部のコンピュータ断層撮影画像を形成することとを含む方法。
【請求項２４】
貨物専用コンテナを経路に沿って第１の方向に移動させることと、
それらの少なくともいくつかのビームが貨物専用コンテナを異なる角度で走査する複数の放射線ビームによって貨物専用コンテナの少なくとも一部を走査することと、
貨物専用コンテナを透過した放射線を固定検出器によって検出することとをさらに含む、請求項２３に記載の方法。
【請求項２５】
貨物専用コンテナを透過した放射線を固定検出器によって検出することをさらに含む、請求項２４に記載の方法。 
【請求項２６】
貨物専用コンテナを放射線のコーン・ビームによって走査することを含む、請求項２３に記載の方法。
【請求項２７】
貨物専用コンテナをＸ線によって走査することを含む、請求項２３に記載の方法。
【請求項２８】
第１のエネルギー分布を有する放射線ビームによって貨物専用コンテナを走査することと、第１のエネルギー分布とは異なる第２のエネルギー分布を有する放射線ビームによって貨物専用コンテナを走査することとを含む、請求項２３に記載の方法。
【請求項２９】
第１の空間検出器によって放射線を検出することと、
第２のエネルギー検知検出器によって放射線を検出することと、
第１および第２の検出器からの検出された放射線に基づいてデータを処理し、貨物専用コンテナのそれぞれのコンピュータ断層撮影画像を形成することとを含む、請求項２８に記載の方法。
【請求項３０】
第１および第２の検出器から検出された放射線から得た対応するコンピュータ断層撮影画像を融合することを含む、請求項２９に記載の方法。
【請求項３１】
少なくとも約1.5mの幅を有する貨物専用コンテナを走査することを含む、請求項２３に記載の方法。
【請求項３２】
前記貨物専用コンテナは、走査中、トラックによって支持される、請求項２３に記載の方法。
【請求項３３】
前記少なくとも１つの線源を、部分的に前記貨物専用コンテナの周りに延びる単一円弧に沿って移動させることを含む、請求項２３に記載の方法。
【請求項３４】
前記レールは前記物体の周りに部分的に延びる、請求項３３に記載の方法。
【請求項３５】
少なくとも１つの線源は第１のエネルギー分布を有する放射線を放出し、少なくとも１つの線源は、第１のエネルギー分布とは異なる第２のエネルギー分布を有する放射線を放出する、請求項３４に記載の走査ユニット。
【請求項３６】
第２のエネルギー検知検出器をさらに含み、
第１の検出器は、第２の検出器と複数の線源との間に位置する、請求項３４に記載の走査ユニット。
【請求項３７】
第１および第２の検出器に電気的に結合され、
第１の検出器から受け取ったデータに基づいてコンピュータ断層撮影画像を再構成し、
第２の検出器から受け取ったデータに基づいてエネルギー・ベースの画像を再構成し、
第１の検出器アレイからのデータに基づく画像を第２の検出器から受け取ったデータに基づく画像と融合するようにプログラムされたプロセッサをさらに含む、請求項３６に記載の走査ユニット。
【請求項３８】
前記1つ又は複数の線源の少なくとも１つは、第１のエネルギー分布を有する放射線の放出と第１のエネルギー分布とは異なる第２のエネルギー分布を有する放射線の放出とで選択的に切り換えるよう動作する、請求項３４に記載の走査ユニット。
【請求項３９】
物体の内容を調べる方法であって、
物体を第１の経路に沿って移動させることと、
１つ又は複数の、放射線ビームの線源を、第１の経路に直交する部分的に第１の経路の周りを延びる第２の経路に沿って移動させ、物体を走査することと、
部分的に第１の経路の周りに延びる検出器アレイによって、物体を透過した放射線を検出することとを含む方法。
【請求項４０】
検出された放射線に基づいて画像を再構成することを含む、請求項３９に記載の方法。
【請求項４１】
検出された放射線に基づいてコンピュータ断層撮影画像を再構成することを含む、請求項４０に記載の方法。
【請求項４２】
第１のエネルギー分布を有する第１の放射線を物体に照射することと、
第１のエネルギー分布とは異なる第２のエネルギー分布を有する第２の放射線を物体に照射することとを含む、請求項３９に記載の方法。
【請求項４３】
物体を透過した放射線を第１の空間検出器アレイによって検出することと、
物体を透過した放射線を第２のエネルギー検知検出器によって検出することとを含む、請求項４２に記載の方法。
【請求項４４】
第１の検出器によって検出された放射線からコンピュータ断層撮影画像を再構成することと、
第２の検出器によって検出された放射線から画像を再構成することと、
第１および第２の検出器から検出された放射線から得た対応する画像を融合することとを含む、請求項４３に記載の方法。
【請求項４５】
コーン・ビームを生成して物体を走査することをさらに含む、請求項３９に記載の方法。
【請求項４６】
前記１つ又は複数の線源をレールに沿って移動させることを含む、請求項３９に記載の方法。
【請求項４７】
前記検出器アレイは据え付けである、請求項３９に記載の方法。
【請求項４８】
貨物専用コンテナを調べる走査ユニットであって、
貨物専用コンテナを第１経路に沿って移動するための手段と、
それらの少なくとも１つの線源が、第１の経路と直交する少なくとも一部は第１の経路の周りある第２の経路上を移動可能である、上記貨物専用コンテナを照射するための１つ又は複数の放射線源と、
貨物専用コンテナと相互作用した後の放射線ビームを検出するように位置させられた固定検出器とを含み、
上記移動手段が、貨物専用コンテナを上記第１の経路に沿って、上記１つ又は複数の線源の上記の少なくとも１つの線源と検出器との間を、移動できるように、１つ又は複数の線源の上記の少なくとも１つの線源と検出器とが、位置させられることを特徴とする、走査ユニット。
【請求項４９】
前記１つ又は複数の線源の少なくとも１つの前記線源はそれぞれの放射線のコーン・ビームで照射するように適合される、請求項４８に記載の走査ユニット。
【請求項５０】
前記１つ又は複数の線源の少なくとも１つは少なくとも1MeVの放射線を発生するように適合される、請求項４８に記載の走査ユニット。
【請求項５１】
前記放射線源の各々は共通の経路上を移動可能である、請求項４８に記載の走査ユニット。
【請求項５２】
前記貨物専用コンテナは高さ又は及び幅が少なくとも１.5メートルである、請求項４８に記載の走査ユニット。